(57)【要約】【課題】  異常が検出された場合に、適切な切り替えを実施すること。【解決手段】  実施形態によれば、第１の放送データを生成する第１のシステム処理系と、第１の放送データと同様の第２の放送データを生成する第２のシステム処理系と、第１のシステム処理系で発生した異常を検出する検出手段と、異常が検出された場合、第１の放送データの代わりに、第２の放送データが送出されるように、第１のシステム処理系から第２のシステム処理系へ切り替えるための方式を設定する設定手段と、設定された方式に応じて切り替えを実施するための切替手段とを備え、設定手段は、異常が検出された場合、切替条件が満たされているのであれば、切り替えを自動的に開始するように切替手段を設定し、満たされていないのであれば、切り替えを開始するタイミングをオペレータが手動で切替手段に指示可能にするための半自動切替機能を備える。【選択図】  図１
2018082287.tif 000002
【特許請求の範囲】
【請求項１】
放送マスターシステムにおいて、
前記放送マスターシステムから送出される、第１の放送データを生成する第１のシステム処理系と、
前記第１の放送データと同様の第２の放送データを生成する第２のシステム処理系と、
前記第１のシステム処理系で発生した異常を検出する検出手段と、
前記検出手段によって異常が検出された場合、前記第１の放送データの代わりに、前記第２の放送データが、前記放送マスターシステムから送出されるように、前記第１のシステム処理系から前記第２のシステム処理系へ切り替えるための方式を設定する設定手段と、
前記設定手段によって設定された方式に応じて、前記第１のシステム処理系から前記第２のシステム処理系への切り替えを実施するための切替手段とを備え、
前記設定手段は、前記検出手段によって異常が検出された場合、予め定められた切替条件が満たされているのであれば、前記切り替えを自動的に開始するように前記切替手段を設定し、満たされていないのであれば、前記切り替えを開始するタイミングをオペレータが手動で前記切替手段に指示可能にするための半自動切替機能を備える、放送マスターシステム。
【請求項２】
前記検出手段は、前記異常を検出した場合、前記異常を報知する、請求項１に記載された放送マスターシステム。
【請求項３】
前記設定手段はさらに、前記検出手段によって異常が検出された場合、前記切替条件に関わらず、前記切り替えを自動的に開始するように前記切替手段を設定するための自動切替機能と、前記検出手段によって異常が検出された場合、前記切替条件に関わらず、前記切り替えを開始するタイミングを前記オペレータが手動で前記切替手段に指示可能にするための手動切替機能とを備える、請求項１または２に記載された放送マスターシステム。
【請求項４】
前記検出手段はさらに、前記第２のシステム処理系に異常があるか否かを判定し、
前記切替手段は、前記検出手段によって前記第２のシステム処理系に異常があると判定された場合、前記切り替えを実施しない、請求項１乃至３のうち何れか１項に記載された放送マスターシステム。
【請求項５】
前記切替条件は、ＣＭの途中ではないことである、請求項１乃至４のうち何れか１項に記載された放送マスターシステム。
【請求項６】
前記切替条件は、予め定められた重要番組の途中ではないことである、請求項１乃至４のうち何れか１項に記載された放送マスターシステム。
【請求項７】
前記切替条件は、緊急時であることである、請求項１乃至４のうち何れか１項に記載された放送マスターシステム。
【請求項８】
前記切替条件は、前記検出手段によって異常が検出された時から、所定の経過時間に達したことである、請求項１乃至４のうち何れか１項に記載された放送マスターシステム。
【請求項９】
前記切替条件が満たされない場合、前記切り替えを開始するための推奨されるタイミングを通知する通知手段を備える、請求項１乃至８のうち何れか１項に記載された放送マスターシステム。
【請求項１０】
前記推奨されるタイミングは、緊急時になる時、ＣＭの終了時、および、予め定められた重要番組の終了時、のうちの少なくとも何れかである請求項９に記載された放送マスターシステム。
【請求項１１】
放送マスターシステムから送出される放送データを生成するためのシステム処理系を切り替えるための切替方法であって、
前記放送マスターシステムから送出される、第１の放送データを第１のシステム処理系において生成し、
前記第１の放送データと同様の第２の放送データを第２のシステム処理系において生成し、
前記第１のシステム処理系で発生した異常を検出し、
前記異常が検出された場合、予め定められた切替条件が満たされているのであれば、前記第１の放送データの代わりに、前記第２の放送データが、前記放送マスターシステムから送出されるように、前記第１のシステム処理系から前記第２のシステム処理系への切り替えを自動的に開始する方式を設定し、前記予め定められた切替条件が満たされていないのであれば、前記第１のシステム処理系から前記第２のシステム処理系への切り替えを、オペレータからの指示に従って開始する方式を設定し、
前記設定された方式に応じて、前記第１のシステム処理系から前記第２のシステム処理系への切り替えを実施する、
切替方法。
【請求項１２】
前記異常が検出された場合、前記異常を報知する、請求項１１に記載された切替方法。
【請求項１３】
前記異常が検出された場合、前記切替条件に関わらず、前記切り替えを自動的に開始する方式を設定するか、または、前記切り替えを、前記オペレータからの指示に従って開始する方式を設定する、請求項１１または１２に記載された切替方法。
【請求項１４】
前記第２のシステム処理系に異常があるか否かを判定し、前記第２のシステム処理系に異常があると判定された場合、前記切り替えを実施しない、請求項１１乃至１３のうち何れか１項に記載された切替方法。
【請求項１５】
前記切替条件は、ＣＭの途中ではないことである、請求項１１乃至１４のうち何れか１項に記載された切替方法。
【請求項１６】
前記切替条件は、予め定められた重要番組の途中ではないことである、請求項１１乃至１４のうち何れか１項に記載された切替方法。
【請求項１７】
前記切替条件は、緊急時であることである、請求項１１乃至１４のうち何れか１項に記載された切替方法。
【請求項１８】
前記切替条件は、前記異常が検出された時から、所定の経過時間に達したことである、請求項１１乃至１４のうち何れか１項に記載された切替方法。
【請求項１９】
前記切替条件が満たされない場合、前記切り替えを開始するために推奨されるタイミングを通知する、請求項１１乃至１８のうち何れか１項に記載された切替方法。
【請求項２０】
前記推奨されるタイミングは、緊急時になる時、ＣＭの終了時、および、予め定められた重要番組の終了時、のうちの少なくとも何れかである請求項１９に記載された切替方法。
【請求項２１】
放送マスターシステムに適用されるプログラムであって、
前記放送マスターシステムから送出される、第１の放送データを第１のシステム処理系において生成する手順、
前記第１の放送データと同様の第２の放送データを第２のシステム処理系において生成する手順、
前記第１のシステム処理系で発生した異常を検出する手順、
前記異常が検出された場合、予め定められた切替条件が満たされているのであれば、前記第１の放送データの代わりに、前記第２の放送データが、前記放送マスターシステムから送出されるように、前記第１のシステム処理系から前記第２のシステム処理系への切り替えを自動的に開始する方式を設定し、前記予め定められた切替条件が満たされていないのであれば、前記第１のシステム処理系から前記第２のシステム処理系への切り替えを、オペレータからの指示に従って開始する方式を設定する手順、
前記設定された方式に応じて、前記第１のシステム処理系から前記第２のシステム処理系への切り替えを実施するための手順、
をコンピュータに実行させるプログラム。
【請求項２２】
前記異常が検出された場合、前記異常を報知する手順、をさらにコンピュータに実行させる請求項２１に記載されたプログラム。
【請求項２３】
前記異常が検出された場合、前記切替条件に関わらず、前記切り替えを自動的に開始する方式を設定する手順、または、前記異常が検出された場合、前記切替条件に関わらず、前記切り替えを、前記オペレータからの指示に従って開始する方式を設定する手順、をさらにコンピュータに実行させる請求項２１または２２に記載されたプログラム。
【請求項２４】
前記第２のシステム処理系に異常があるか否かを判定する手順、
前記第２のシステム処理系に異常があると判定された場合、前記切り替えを実施しない手順、
をさらにコンピュータに実行させる請求項２１乃至２３のうち何れか１項に記載されたプログラム。
【請求項２５】
前記切替条件は、ＣＭの途中ではないことである、請求項２１乃至２４のうち何れか１項に記載されたプログラム。
【請求項２６】
前記切替条件は、予め定められた重要番組の途中ではないことである、請求項２１乃至２４のうち何れか１項に記載されたプログラム。
【請求項２７】
前記切替条件は、緊急時であることである、請求項２１乃至２４のうち何れか１項に記載されたプログラム。
【請求項２８】
前記切替条件は、前記異常が検出された時から、所定の経過時間に達したことである、請求項２１乃至２４のうち何れか１項に記載されたプログラム。
【請求項２９】
前記切替条件が満たされない場合、前記切り替えを開始するために推奨されるタイミングを通知する通知手順、をさらにコンピュータに実行させる請求項２１乃至２８のうち何れか１項に記載されたプログラム。
【請求項３０】
前記推奨されるタイミングは、緊急時になる時、ＣＭの終了時、および、予め定められた重要番組の終了時、のうちの少なくとも何れかである請求項２９に記載されたプログラム。
【発明の詳細な説明】
【技術分野】
【０００１】
本発明の実施形態は、放送局で使用される放送マスターシステム、同システムにおける切替方法、およびプログラムに関する。
【背景技術】
【０００２】
テレビ局やラジオ局といった放送局において、その使命を果たすためにシステムの故障等で放送が中断することは極力避け無ければならない（総務省通達による）。
【０００３】
そのため、多くの放送局の番組放送の放送マスターシステムでは、多重化による冗長構成とすることで、万が一の故障等でも可用性を高めている。多くの場合は、２重系のホットスタンバイ方式が採用されている。一般には、映像ソースやキーヤーと呼ばれる映像に合成する時間情報や、天気情報等や、緊急速報装置、映像や音声信号を圧縮するエンコーダ等からなる一連の放送ソースの信号処理系が複数系統構築されている。
【０００４】
また、放送マスターシステムには、一般に、放送マスターシステム内の種々の機器の異常を検出する装置や、複数系統構築されている信号処理系の間の相違を発見する装置等により、各機器の異常を検出し通知する機能が備えられている。
【０００５】
さらに、放送マスターシステムには、このような機能を用いて、予め登録された異常状態を検出すると、信号処理系を自動的に切り替える自動切替機能も備えられている。
【先行技術文献】
【非特許文献】
【０００６】
【非特許文献１】長石  敦、向山  豊彦、金田  昌之著、「地上デジタル放送マスタ送出システム」、東芝レビュー  Ｖｏｌ．５９  Ｎｏ．２（２００４）、ｐ７〜１７
【発明の概要】
【発明が解決しようとする課題】
【０００７】
しかしながら、各信号処理系では、複数の番組サービス（例えば、地上波デジタル放送、ＢＳ放送、ワンセグ放送、ネット送り等）が同時に処理されている。ＢＳ放送では２つのサービスが可能であるのに加えて、地上波デジタル放送では３つのサービスも可能である。したがって、特に、地上波デジタル放送の採用後は、１つの信号処理系で同時に処理する番組サービスの数が増加しており、放送局によっては、最大１０の番組サービスを１つの信号処理系で同時に処理できるようになっている。
【０００８】
したがって、異常状態が検出された時に、信号処理系が自動的に切り替えられてしまうと、異常の発生していない番組サービスに対して悪影響を及ぼす可能性が出てきた。
【０００９】
現状のように、各信号処理系において、多くの番組サービスを同時に処理している状況を鑑みると、切り替えは、複数の番組サービスの放映状況を考慮して決定された適切なタイミングでなされねばならない。しかしながら、従来の放送マスターシステムでは、異常を検出することはできるが、切り替えのための適切なタイミングを決定することはできない。
【００１０】
このため、放送マスターシステムは、自動切替機能を有しているにも関わらず、その機能が使用されず、オペレータによる手動操作によって切替操作がなされている場合が多い。この場合、オペレータは、放送マスターシステムを常時監視する必要がある。そして、異常状態が検出されると、放送マスターシステムの構成や仕様、あるいはその時の複数の番組サービスの放映状況を考慮し、適切な切替タイミングを迅速に決定する必要がある。
【００１１】
しかしながら、オペレータが、複数の番組サービスの放映状況等に応じて、最適な切替タイミングを、迅速に決定することは容易ではない。オペレータの熟練度にもよるが、最適な切り替えのタイミングを探っている間に、そのタイミングを逸してしまうこともある。
【００１２】
このように、オペレータにはかなりの熟練度が要求される上、万が一、判断ミス等によって不適切な切り替えがなされてしまうと、放送の中断や映像の乱れ、キーヤーの合成ミス等をもたらすことから、タイミングの決定には、熟練と英断が必要とされる上、オペレータの精神的および物理的な負担もかなり大きいものであった。
【００１３】
従って、異常が検出された場合に、複数の番組サービスの放映状況等に応じて、適切な切り替えを実施できるようにする技術が求められている。
【００１４】
本発明が解決しようとする課題は、異常が検出された場合に、複数の番組サービスの放映状況等に応じて、適切な切り替えを実施することができる放送マスターシステム、同システムにおける切替方法、およびプログラムを提供することである。
【課題を解決するための手段】
【００１５】
実施形態の放送マスターシステムは、放送マスターシステムから送出される、第１の放送データを生成する第１の信号処理系と、第１の放送データと同様の第２の放送データを生成する第２の信号処理系と、第１の信号処理系で発生した異常を検出する検出手段と、検出手段によって異常が検出された場合、第１の放送データの代わりに、第２の放送データが、放送マスターシステムから送出されるように、第１の信号処理系から第２の信号処理系へ切り替えるための方式を設定する設定手段と、設定手段によって設定された方式に応じて、第１の信号処理系から第２の信号処理系への切り替えを実施するための切替手段とを備え、設定手段は、検出手段によって異常が検出された場合、予め定められた切替条件が満たされているのであれば、切り替えを自動的に開始するように切替手段を設定し、満たされていないのであれば、切り替えを開始するタイミングをオペレータが手動で切替手段に指示可能にするための半自動切替機能を備える。
【図面の簡単な説明】
【００１６】
【図１】地上波デジタル放送システムの一例を示す概念図である。
【図２】本実施形態に係る放送マスターシステムの一例を示す機能ブロック図である。
【図３】監視系システムが内蔵された制御盤の一例を示す概観図である。
【図４】切替条件を説明するための番組サービススケジュール図の一例である。
【図５】自動切替方式における動作の流れを示すフローチャートである。
【図６】手動切替方式における動作の流れを示すフローチャートである。
【図７】半自動切替方式における動作の流れを示すフローチャートである。
【発明を実施するための形態】
【００１７】
以下、図面を参照して本発明の実施形態について説明する。
【００１８】
図１は、地上波デジタル放送システムの一例を示す概念図である。放送マスターシステム１０は、放送局１００に備えられ、トランスポートストリーム（ＴＳ）を生成する。ＴＳは、専用線網等の通信ネットワーク２００を経由して例えば電波塔３００まで伝送される。電波塔３００はＴＳ信号をデジタル変調してマイクロ波帯で放射する。放射された電波は各家庭４００の受像機で受信され、映像と音声が再生される。模式的に示すように、放送局１００の例えば監視室に備えられる機器は大規模かつ多種多様であり、多数のモニタ画面や林立するラック（棚）を備える。
【００１９】
図２は、本実施形態に係る放送マスターシステム１０の一例を示す機能ブロック図である。放送マスターシステム１０は、情報系１５、システム処理系２０、伝送系３０、監視系システム４０および時計ノード８０を備える。これらはＬＡＮ（Local Area Network）等の局内ネットワーク５０を介して相互接続される。
【００２０】
局内ネットワーク５０には、ＴＣＰ／ＩＰ等の汎用プロトコルを用いる汎用ネットワークと、ＳＥＣＮＥＴ３等のリアルタイム型ネットワークとが含まれる。汎用ネットワークは主に画像／音声データの伝送に用いられ、リアルタイム型ネットワークは放送関連機器間で制御情報や各種電文を授受するために用いられる。
【００２１】
情報系１５は、放送情報スケジューラ１６、およびデータベース１７を備える。
【００２２】
システム処理系２０は、１系のシステム処理系２０（＃１）と、２系のシステム処理系２０（＃２）とからなる冗長構成をとり、各系が、スイッチャ（ＳＷ）２１、エンコーダ（ＥＮＣ）２３、ＳＩ送出部２４、ＶＢＲ  ２５、多重化部（ＭＵＸ）２６、およびＳＣＲ  ２７を備え、さらに制御系６０をも備える。
【００２３】
スイッチャ２１は、ＣＭサーバ７０からのＣＭコンテンツ、回線素材７１やスタジオ７２からの映像／音声信号、あるいは各種機材から発生された発生信号７３を、伝送系３０から取り込み、番組表に従って経路切換して次段のエンコーダ２３に接続する。エンコーダ２３はいわゆる符号化多重化部制御装置（ＥＭＣ：Encoder & Multiplexer Controller）であり、入力された信号の符号化および多重化に関する制御を行う。
【００２４】
エンコーダ２３は所定の手順に従って映像信号／音声信号／データ信号を符号化し、次段の多重化部２６に入力する。多重化部２６は、エンコーダ２３からの符号化信号、ＳＩ送出部２４からのＳＩ（Service Information）信号２４ａ、ＥＣＭ信号２４ｂ、およびＶＢＲ  ２５からのＤＡＴＡ信号２４ｃを多重化し、多重化されたデータを、ＳＣＲ  ２７を経由して、伝送系３０のストリーム切り替え部３１，３２に送出する。
【００２５】
ストリーム切り替え部３１，３２は互いに冗長化され、ＭＰＥＧ（Moving Picture Experts Group）符号化方式で圧縮された放送ＴＳ（Transport Stream）信号をシームレスに切り替え、現用系、予備系および検証系の各ＴＳ信号を生成する。これらのＴＳ信号は交換部３３を経由して通信ネットワーク２００に送出される。
【００２６】
制御系６０は、機器制御スケジューラ６１、リアルタイムコントローラ６２、ノード（ＮＯＤＥ）６３、およびＭＳＭ  ６４を備える。機器制御スケジューラ６１は、放送スケジュールの制御に係わる処理を実行する。
【００２７】
リアルタイムコントローラ６２は、実時間制御に係わる処理を実行する。すなわちリアルタイムコントローラ６２は、放送プログラムに基づいて作成された制御シナリオに基づいて、各放送関連機器を制御する。
【００２８】
ノード６３は、例えば、局内ネットワーク５０への接続インタフェースを持たない機材（アナログＶＴＲ等）に接続され、局内ネットワーク５０へのインタフェース機能を提供する。これにより旧式の機材等も放送マスターシステム１０の制御下に置くことができる。ノード６３は、必要に応じて複数設けられても良い。ＭＳＭ  ６４は、その他の各種制御に係わる処理を担う。
【００２９】
監視系システム４０は、ＳＥＣＬＯＧＧＥＲ  ４１、ＯＡ表示端末４２、マルチモニタ４３、監視卓４４、監視指示端末４５、アラーム端末４６、およびスピーカ４７等の、複数の監視制御用機器を備える。
【００３０】
時計ノード８０は、上記の各放送関連機器に対してマスタ時刻を供給する。
【００３１】
図３は、監視系システム４０が内蔵された制御盤９０の一例を示す概観図である。
【００３２】
制御盤９０は、マルチモニタ４３、監視卓４４、監視指示端末４５、アラーム端末４６、スピーカ４７を備える。
【００３３】
放送マスターシステム１０では、システム処理系２０（＃１）とシステム処理系２０（＃２）との各々において、地上波デジタル放送における３つのチャンネルのための番組サービス、ＢＳ放送における２つのチャンネルのための番組サービス、ワンセグ放送における１つのチャンネルのための番組サービス、ネット送り用のチャンネルのための番組サービスというように、多くの番組サービスを取り扱う。したがって、図３では、このような複数の番組サービスによって提供される各画像を表示できるように、マルチモニタ４３を１０面備えた例を示している。しかしながら、マルチモニタ４３の面数は、これより多くても、あるいは少なくても良い。
【００３４】
アラーム端末４６には、放送マスターシステム１０内で自動検出された異常事象がすべて収集され、表示される。したがって、オペレータは、アラーム端末４６の表示を確認することによって、システム処理系２０（＃１）に異常がないか否かを確認することができる。また、アラーム端末４６は、システム処理系２０（＃１）とシステム処理系２０（＃２）との間の映像の相違を検出し、表示することもできる。したがって、オペレータは、システム処理系２０（＃２）が正常であるか否かをも把握することもできる。アラーム端末４６は、システム処理系２０（＃１）において異常が検出された場合や、システム処理系２０（＃２）において異常が検出された場合には、アラーム端末４６上において点滅表示することによって、あるいは、スピーカ４７から警報音や音声メッセージを発生させることによって、オペレータに異常を報知するようにしても良い。
【００３５】
また、監視卓４４は、切替方式設定スイッチ４８および切替開始スイッチ４９をも備えている。切替方式設定スイッチ４８は、システム処理系２０（＃１）において異常が検出された場合、多重化されたデータを、システム処理系２０（＃１）から伝送系３０へ送る代わりに、システム処理系２０（＃２）から伝送系３０へと送るように切り替えるための方式を設定するためのスイッチである。
【００３６】
なお、実際に切り替えが実施されるためには、システム処理系２０（＃２）が正常であることが前提となる。したがって、システム処理系２０（＃２）に異常があれば、前述したように、スピーカ４７から警報音や音声メッセージが発生させたり、アラーム端末４６上において点滅表示がなされるにとによって、異常がオペレータに報知されるとともに、システム処理系２０（＃１）からシステム処理系２０（＃２）への切り替えも実行されない。
【００３７】
本実施形態において、システム処理系２０（＃１）からシステム処理系２０（＃２）へ切り替える方式としては、自動切替方式と、手動切替方式と、半自動切替方式との３つがある。監視卓４４は、これら３つの方式に合わせて、３つのスイッチ、すなわち、自動切替方式設定スイッチ４８ａと、手動切替方式設定スイッチ４８ｂと、半自動切替方式設定スイッチ４８ｃとを備える。
【００３８】
自動切替方式設定スイッチ４８ａが押下されると、システム処理系２０（＃１）において異常が検出された場合、システム処理系２０（＃２）が正常であれば、監視系システム４０は、システム処理系２０（＃１）からシステム処理系２０（＃２）への切り替えを自動的に開始するように設定される。
【００３９】
手動切替方式設定スイッチ４８ｂが押下されると、システム処理系２０（＃１）において異常が検出された場合、システム処理系２０（＃２）が正常であれば、監視系システム４０は、オペレータが切替開始スイッチ４９を押下した場合に、前述したような切り替えを開始するように設定される。
【００４０】
半自動切替方式設定スイッチ４８ｃが押下されると、システム処理系２０（＃１）において異常が検出された場合、システム処理系２０（＃２）が正常であれば、予め定められた切替条件が満たされているのであれば、監視系システム４０は、前述したような切り替えを自動的に開始するように設定され、予め定められた切替条件が満たされていなければ、監視系システム４０は、オペレータが切替開始スイッチ４９を押下した場合に、前述したような切り替えを開始するように設定される。
【００４１】
なお、切替開始スイッチ４９は、自動切替方式設定スイッチ４８ａが押下されている場合、物理的に押下されないようになっているか、あるいは、押下されても無視され、監視系システム４０は反応しない。
【００４２】
なお、図３に示す例では、切替方式設定スイッチ４８および切替開始スイッチ４９は、例としてハードウェア的なスイッチを示している。しかしながら、これらスイッチは、ハードウェア的なものに限定されず、ソフトウェアによって構成されても良い。たとえば、アラーム端末４６を構成するタッチパネル上に、切替方式設定スイッチ４８および切替開始スイッチ４９を示すアイコンを表示し、このアイコンを押圧することによって、切替方式設定スイッチ４８および切替開始スイッチ４９と同様に機能するように構成しても良い。
【００４３】
次に、図４を用いて切替条件について詳細に説明する。
【００４４】
図４は、切替条件を説明するための番組サービススケジュール図の一例であり、縦軸は、番組サービス１、２、３、４・・・・を表し、横軸はスケジュールを表す。番組サービスは、前述したように、テレビのチャンネルに相当し、スケジュールは、時間に相当し、図中右方向が時間の進行方向である。
【００４５】
前述したように、切替条件とは、半自動切替方式が採用されている状態（すなわち、半自動切替方式設定スイッチ４８ｃが押下されている状態）で、信号処理系２０（＃１）において異常が検出された場合に、システム処理系２０（＃２）が正常であれば、システム処理系２０（＃１）からシステム処理系２０（＃２）への切り替えを、直ちに自動的に開始するように監視系システム４０を設定するための条件である。
【００４６】
このような切替条件は、限定される訳ではないが、システム処理系２０（＃１）において異常が検出された時が、例えば、１）予め定められた重要番組の途中ではないこと、２）ＣＭの途中ではないこと、３）緊急時（例えば、災害時、重大事象発生時等）であること等が挙げられる。これらは、任意に組み合わされることも可能である。
【００４７】
切替条件が満たされない場合には、たとえシステム処理系２０（＃１）において異常が検出され、システム処理系２０（＃２）が正常であっても、監視系システム４０は、システム処理系２０（＃１）からシステム処理系２０（＃２）への切り替えを、直ちに自動的に開始することはしない。したがって、オペレータが、各番組サービスの放映状況を鑑みて、適切なタイミングで、切替開始スイッチ４９を手動で押下することによって、切り替えを開始するタイミングを監視系システム４０に指示する必要がある。
【００４８】
例えば、図４に示すように、時間ｔ１において★印で示すように、番組サービス３において番組Ｅを放映中に異常（トラブル）が発生したとする。この時、ＣＭの放映中ではないものの、緊急時であり、かつ、時間ｔ１において放映されている番組Ｃ、番組Ｅ、番組Ｈのうちの何れも重要番組でないのであれば、切替条件が満たされているので、監視系システム４０は、システム処理系２０（＃１）からシステム処理系２０（＃２）への切り替えを、直ちに自動的に開始する。
【００４９】
一方、時間ｔ１において緊急時ではなくても、放映中の番組Ｃが重要番組であれば、切替条件は満たされないので、監視系システム４０は、システム処理系２０（＃１）からシステム処理系２０（＃２）への切り替えを、直ちに自動的に開始することはできず、オペレータが、切替開始スイッチ４９を押下するまで、システム処理系２０（＃１）からシステム処理系２０（＃２）への切り替えはなされない。
【００５０】
この場合、切り替えは、番組Ｃが終了する時間ｔ２においてなされるべきである。したがって、アラーム端末４６が、放送情報スケジューラ１６からの情報に基づいて番組Ｃが終了する時間ｔ２を表示することによって、オペレータに対して、切り替えを開始すべきタイミングを推奨しても良い。そして、これに従って、オペレータが、時間ｔ２において切替開始スイッチ４９を押下することによって、監視系システム４０は、システム処理系２０（＃１）からシステム処理系２０（＃２）への切り替えを開始する。あるいは、アラーム端末４６が推奨したタイミングである時間ｔ２になったら、切り替えを自動的に開始するように、監視系システム４０を設定するようにしても良い。
【００５１】
また、時間ｔ３において▲印で示すように、番組サービス４において番組Ｈを放映中に異常（トラブル）が発生したとする。この時、仮に緊急時ではなくても、番組サービス２においてＣＭｂが放映中であり、ＣＭの途中であるので、切替条件は満たされず、監視系システム４０は、システム処理系２０（＃１）からシステム処理系２０（＃２）への切り替えを、直ちに自動的に開始することはせず、オペレータが、切替開始スイッチ４９を押下するまで、システム処理系２０（＃１）からシステム処理系２０（＃２）への切り替えはなされない。これは、ＣＭｂの放映が中断されるのを避けるためである。この場合、切り替えは、ＣＭｂが終了する時間ｔ４においてなされるべきである。したがって、アラーム端末４６が、放送情報スケジューラ１６からの情報に基づいてＣＭｂが終了する時間ｔ４を表示することによって、オペレータに対して、切り替えを開始すべきタイミングを推奨しても良い。そして、これに従って、オペレータが、時間ｔ４において切替開始スイッチ４９を押下することによって、監視系システム４０は、システム処理系２０（＃１）からシステム処理系２０（＃２）への切り替えを開始する。あるいは、アラーム端末４６が推奨したタイミングである時間ｔ４になったら、切り替えを自動的に開始するように、監視系システム４０を設定するようにしても良い。
【００５２】
なお、図４は、ＣＭと番組という大雑把な表示を用いて示しているが、一般には、図４中の拡大図に示すように、ＣＭといっても、複数のＣＭ（例えば、ＣＭｆの時間帯の中には、第１のＣＭであるＣＭｆ１、第２のＣＭであるＣＭｆ２、および第３のＣＭであるＣＭｆ３）があり、番組Ｉも、本編Ｉ２の他に、お知らせＩ１や予告編Ｉ３等に細分類される。したがって、アラーム端末４６は、このような細かい切れ目をも考慮すれば、切り替えによる影響が最も少なくなるような切替開始のタイミングを、より柔軟に推奨することも可能となる。
【００５３】
また、半自動切替方式では、切替条件が満たされていなくても、異常が検出された時から、所定の経過時間に達すると、自動的に切り替えが行われる機能をも備えている。このような機能を実施するために、例えば、異常が検出された時点において、アラーム端末４６から、自動切替までの時間をカウントダウン（たとえば、５秒から）するカウンタ４６’を表示する。そして、カウントがゼロになると、切り替えを自動的に開始するように、監視系システム４０を設定する。なお、カウントが終了する前に、オペレータが、手動切替方式設定スイッチ４８ｂを押下し、手動切替方式に切り替えることも、あるいは、カウントが終了する前に切替開始スイッチ４９を押下し、手動で切り替えを開始させることもできる。
【００５４】
次に、以上のように構成した本実施形態に係る放送マスターシステム１０の動作について説明する。
【００５５】
放送マスターシステム１０には、１系のシステム処理系２０（＃１）と、２系のシステム処理系２０（＃２）とが備えられている。システム処理系２０（＃１）とシステム処理系２０（＃２）とでは、同じデータが生成されるが、通常は、システム処理系２０（＃１）において多重化されたデータが、伝送系３０へ送られ、そこでＴＳ信号が生成され、通信ネットワーク２００および電波塔３００を介して放映される。
【００５６】
一方、放送マスターシステム１０内では、異常事象が自動検出され、アラーム端末４６によって収集および表示される。したがって、仮に、システム処理系２０（＃１）において異常が発生した場合、その情報は、自動検出され、アラーム端末４６から表示される。それに加えて、スピーカ４７から警報音や音声メッセージが出力されたり、アラーム端末４６上において点滅表示させることも可能であるので、異常発生がオペレータによって確実に認識される。
【００５７】
このようにシステム処理系２０（＃１）において異常が発生した場合、適切なタイミングでシステム処理系２０（＃２）に切り替える必要がある。この切り替えのために、本実施形態に係る放送マスターシステム１０は、３つの方式、すなわち、自動切替方式と、手動切替方式と、半自動切替方式とが採用されている。これに合わせて、監視卓４４には、３つのスイッチ、すなわち、自動切替方式設定スイッチ４８ａと、手動切替方式設定スイッチ４８ｂと、半自動切替方式設定スイッチ４８ｃとが設けられており、オペレータは、事前に、これら３つのスイッチのうちの何れかを押下することによって、所望の方式で決定されたタイミングに従って切り替えを行うことができる。
【００５８】
まず、自動切替方式における動作の流れを図５のフローチャートを用いて説明する。
【００５９】
オペレータは、自動切替方式を採用する場合には、自動切替方式設定スイッチ４８ａを押下する（Ｓ１）。この状態で、システム処理系２０（＃１）において異常が発生する（Ｓ２）と、その情報がアラーム端末４６によって収集され、表示される。また、スピーカ４７から警報音や音声メッセージが出力されたり、アラーム端末４６上において点滅表示もなされ得る（Ｓ３）。これによって、システム処理系２０（＃１）における異常がオペレータによって確実に認識される。
【００６０】
この時、システム処理系２０（＃２）に異常がなければ（Ｓ４：Ｙｅｓ）、監視系システム４０によって、システム処理系２０（＃１）からシステム処理系２０（＃２）への切り替えが自動的になされ（Ｓ５）、システム処理系２０（＃２）に異常があれば（Ｓ４：Ｎｏ）、システム処理系２０（＃２）への切り替えはなされず、オペレータによる適切な対応がなされる（Ｓ６）。
【００６１】
次に、手動切替方式における動作の流れを図６のフローチャートを用いて説明する。
【００６２】
オペレータは、手動切替方式を採用する場合には、手動切替方式設定スイッチ４８ｂを押下する（Ｓ１１）。この状態で、システム処理系２０（＃１）において異常が発生する（Ｓ１２）と、その情報がアラーム端末４６によって収集され、表示される。また、スピーカ４７から警報音や音声メッセージが出力されたり、アラーム端末４６上において点滅表示もなされ得る（Ｓ１３）。これによって、システム処理系２０（＃１）における異常がオペレータによって確実に認識される。
【００６３】
この時、システム処理系２０（＃２）に異常がなければ（Ｓ１４：Ｙｅｓ）、オペレータが、適切なタイミングで切替開始スイッチ４９を押下することによって、監視系システム４０によって、システム処理系２０（＃１）からシステム処理系２０（＃２）への切り替えがなされ（Ｓ１５）、システム処理系２０（＃２）に異常があれば（Ｓ１４：Ｎｏ）、システム処理系２０（＃２）への切り替えはなされず、オペレータによる適切な対応がなされる（Ｓ１６）。
【００６４】
次に、半自動切替方式における動作の流れを図７のフローチャートを用いて説明する。
【００６５】
オペレータは、半自動切替方式を採用する場合には、半自動切替方式設定スイッチ４８ｃを押下する（Ｓ２１）。この状態で、システム処理系２０（＃１）において異常が発生する（Ｓ２２）と、その情報がアラーム端末４６によって収集され、表示される。また、スピーカ４７から警報音や音声メッセージが出力されたり、アラーム端末４６上において点滅表示もなされ得る（Ｓ２３）。これによって、システム処理系２０（＃１）における異常がオペレータによって確実に認識される。
【００６６】
この時、システム処理系２０（＃２）に異常がなく（Ｓ２４：Ｙｅｓ）、切替条件が満たされているのであれば（Ｓ２５：Ｙｅｓ）、監視系システム４０によって、システム処理系２０（＃１）からシステム処理系２０（＃２）への切り替えが自動的に行われる（Ｓ２６）。
【００６７】
切替条件は、限定される訳ではないが、システム処理系２０（＃１）において異常が検出された時が、例えば、１）予め定められた重要番組の途中ではないこと、２）ＣＭの途中ではないこと、３）緊急時（例えば、災害時、重大事象発生時等）であること、４）異常が検出された時から、所定の経過時間に達したこと、等が挙げられる。これらは、任意に組み合わされることも可能である。
【００６８】
なお、切替条件として、４）が単独で設定されている場合、システム処理系２０（＃１）からシステム処理系２０（＃２）への自動切り替えは直ちに行われず、アラーム端末４６から、所定の経過時間までの時間をカウントダウン（たとえば、５秒から）するカウンタ４６’が表示される。そして、カウントがゼロになると、自動切り替えが開始される。なお、カウントが終了する前であれば、オペレータは、手動切替方式設定スイッチ４８ｂを押下し、手動切替方式に切り替えることもできる。
【００６９】
一方、ステップＳ２５において、切替条件が満たされていなければ（Ｓ２５：Ｎｏ）、オペレータが手動で切替開始スイッチ４９を押下した場合に、監視系システム４０によって、システム処理系２０（＃１）からシステム処理系２０（＃２）への切り替えが行われるようになる。したがって、オペレータが、適切なタイミングで切替開始スイッチ４９を手動で押下することによって、監視系システム４０によって、システム処理系２０（＃１）からシステム処理系２０（＃２）への切り替えがなされる（Ｓ２７）。
【００７０】
一方、ステップＳ２４においてシステム処理系２０（＃２）に異常があれば（Ｓ２４：Ｎｏ）、システム処理系２０（＃２）への切り替えはなされず、オペレータによる適切な対応がなされる（Ｓ２８）。
【００７１】
上述したように、本実施形態に係る放送マスターシステム１０によれば、異常が発生したシステム処理系２０（＃１）をシステム処理系２０（＃２）へ切り替えるために、自動切替方式および手動切替方式に加えて、半自動切替方式で実施することも可能である。
【００７２】
半自動切替方式は、自動切替方式と手動切替方式とを兼ね備えたような機能を有しており、システム処理系２０（＃１）の異常が検出された場合に、切替条件が満たされていれば、自動的に切り替えがなされ、満たされていなければ、手動で切り替えを行うことができる。
【００７３】
一般に、システム処理系２０（＃１）の異常が検出された場合の状況に応じて、直ちに切り替える場合と、そうではない場合とが存在する。例えば、１）予め定められた重要番組の途中ではないこと、２）ＣＭの途中ではないこと、３）緊急時（例えば、災害時、重大事象発生時等）であることは、直ちに切り替えを行うべき場合に相当する。したがって、これらを切替条件として予め設定することによって、これらの場合において異常が発生した場合には、自動的に切り替えがなされるので、システム処理系２０（＃１）からシステム処理系２０（＃２）への切り替えが確実になされ、放送事故を回避することが可能となる。
【００７４】
一方、切替条件が満たされない場合は、直ちに切り替えられることはなく、オペレータによって、手動でシステム処理系２０（＃１）からシステム処理系２０（＃２）への切り替えが開始されることになる。しかしながら、前述したように、手動の切り替えをどのタイミングで行うかの決定には、オペレータの熟練と英断とが必要とされるので、判断が遅れてしまい、放送事故になってしまう恐れがある。これを回避するために、本実施形態に係る放送マスターシステム１０は、異常が検出された時には切替条件を満たしていなくても、アラーム端末４６からカウンタ４６’を表示させ、カウントがゼロになると、切り替えを自動的に開始するように、監視系システム４０を設定することもできる。あるいは、オペレータに対して、切り替えを開始すべきタイミングを推奨することもできる。このようにして、異常が検出されているにも関わらず、オペレータの判断遅れが原因で放送事故になってしまうことを回避することが可能となる。
【００７５】
このように、本実施形態に係る放送マスターシステム１０によれば、システム処理系２０（＃１）に異常が発生した場合に、切替条件を満たす場合には、直ちに自動的にシステム処理系２０（＃２）への切替を実行し、切替条件を満たさない場合には、カウントが終了するまでは、オペレータによる手動切替の余地を残しつつも、カウントが終了すると自動的に切り替えを実行することによって、放送事故を確実に回避することが可能となる。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１０  放送マスターシステム、１５  情報系、１６  放送情報スケジューラ、１７  データベース、２０（＃１）  １系のシステム処理系、２０（＃２）  ２系のシステム処理系、２１  スイッチャ、２３  エンコーダ、２４  送出部、２５  ＶＢＲ、２６  多重化部、２７  ＳＣＲ、３０  伝送系、３１  ストリーム切り替え部、３２  ストリーム切り替え部、３３  交換部、４０  監視系システム、４１  ＳＥＣＬＯＧＧＥＲ、４２  ＯＡ表示端末、４３  マルチモニタ、４４  監視卓、４５  監視指示端末、４６  アラーム端末、４６’  カウンタ、４７  スピーカ、４８  切替方式設定スイッチ、４８ａ  自動切替方式設定スイッチ、４８ｂ  手動切替方式設定スイッチ、４８ｃ  半自動切替方式設定スイッチ、４９  切替開始スイッチ、５０  局内ネットワーク、６０  制御系、６１  機器制御スケジューラ、６２  リアルタイムコントローラ、６３  ノード、６４  ＭＳＭ、７０  ＣＭサーバ、７１  回線素材、７２  スタジオ、７３  発生信号、８０  時計ノード、９０  制御盤、１００  放送局、２００  通信ネットワーク、３００  電波塔、４００  家庭。
【図１】
2018082287.tif 000003
【図２】
2018082287.tif 000004
【図３】
2018082287.tif 000005
【図４】
2018082287.tif 000006
【図５】
2018082287.tif 000007
【図６】
2018082287.tif 000008
【図７】
2018082287.tif 000009